(57)【要約】【課題】  ＮＯX吸蔵還元触媒のＮＯX浄化能力を向上させる。【解決手段】  機関１の排気通路２にＮＯX吸蔵還元触媒を内蔵したコンバータ７０を配置する。コンバータ内のＮＯX吸蔵還元触媒の担体前半部分（入口側部分）では、酸素貯蔵成分の担持量が担体後半部分（出口側部分）より小さく、かつＮＯX吸蔵能力が担体後半部分より大きく設定されている。これにより、担体前半部分でリッチスパイク初期にＯ2ストレージ作用のために放出される未浄化のＮＯXが担体後半部分で吸蔵され外部に排出されるとともに、Ｏ2ストレージ作用によりＮＯXの浄化に使用されずに無駄に消費される排気中のＨＣ、ＣＯ成分の量を低減し効率的なＮＯX浄化を行うことが可能となる。【選択図】      図１
2005120909.tif 000002
【特許請求の範囲】
【請求項１】
流入する排気の空燃比がリーンのときに排気中のＮＯXを吸着、吸収またはその両方により吸蔵し、流入する排気の空燃比がリッチのときに排気中の還元成分を用いて吸蔵したＮＯXを還元浄化するＮＯX吸蔵還元触媒を排気通路に備えた内燃機関の排気浄化装置であって、
前記ＮＯX吸蔵還元触媒の担体は排気流上流側に位置する上流側担体部分と排気流下流側に位置する下流側担体部分とを備え、
前記担体は、更に排気の空燃比がリーンのときに排気中の酸素を吸収し、排気の空燃比がリッチのときに吸収した酸素を放出する酸素貯蔵成分を担持すると共に、前記上流側担体部分の前記酸素貯蔵成分担持量を前記下流側担体部分の前記酸素貯蔵成分担持量より小さくした、内燃機関の排気浄化装置。
【請求項２】
更に、前記上流側側担体部分のＮＯX吸蔵能力を前記下流側担体部分のＮＯX吸蔵能力より大きくした、請求項１に記載の内燃機関の排気浄化装置。
【請求項３】
前記上流側担体部分と下流側担体部分との白金担持量を変えることにより前記上流側担体部分のＮＯX吸蔵能力を下流側担体部分のＮＯX吸蔵能力より大きくした、請求項２に記載の内燃機関の排気浄化装置。
【請求項４】
前記上流側担体部分と下流側担体部分との担体セル形状とセルサイズとの少なくとも一方を変えることにより、前記上流側担体部分のＮＯX吸蔵能力を下流側担体部分のＮＯX吸蔵能力より大きくした、請求項２に記載の内燃機関の排気浄化装置。
【発明の詳細な説明】
【技術分野】
【０００１】
本発明は、内燃機関の排気浄化装置に関し、詳細にはＮＯX吸蔵還元触媒を備えた内燃機関の排気浄化装置に関する。
【背景技術】
【０００２】
流入する排気の空燃比がリーンのときに排気中のＮＯXを吸着、吸収またはその両方により吸蔵し、流入する排気の空燃比がリッチのときに排気中のＣＯ、Ｈ2等の還元成分やＨＣ等（以下「還元成分」と総称する）を用いて吸蔵したＮＯXを還元浄化するＮＯX吸蔵還元触媒が知られている。
【０００３】
この種のＮＯX吸蔵還元触媒を使用した内燃機関の排気浄化装置の例としては、例えば特許文献１に記載されたものがある。
【０００４】
特許文献１に記載の装置では、ＮＯX吸蔵還元触媒の担体前半部のみに酸素貯蔵成分を担持させることによりＮＯX吸蔵還元触媒のＮＯX浄化効率を向上させている。
【０００５】
従来、ＮＯX吸蔵還元触媒上流側の排気通路に三元触媒を配置した場合には、三元触媒が酸素貯蔵機能（Ｏ2ストレージ機能）を有しているとＮＯX吸蔵還元触媒に流入する排気の空燃比変化の遅れによりＮＯX吸蔵還元触媒の排気浄化能力が低下する場合があることが判明している。
【０００６】
公知のように、三元触媒には白金Ｐｔ、パラジウムＰｄ、ロジウムＲｈ等の貴金属触媒成分の他に、助剤としてセリウムＣｅ等の金属成分を担持させることにより酸素貯蔵機能（Ｏ2ストレージ機能）を付与することができる。すなわち、添加剤として触媒に担持されたセリウムは、触媒に流入する排気の空燃比が理論空燃比より高いときに（排気空燃比がリーンのときに）排気中の酸素と結合してセリア（酸化セリウムIV：ＣｅＯ2）を形成し酸素を貯蔵する。また、流入する排気の空燃比が理論空燃比以下のときに（排気空燃比がリッチのときに）はセリアは酸素を放出して酸化セリウムIII（Ｃｅ2Ｏ3）になるため酸素が放出される。
【０００７】
このため、Ｏ2ストレージ機能を有する三元触媒では、排気空燃比がリーンからリッチに変化すると三元触媒から酸素が放出され、三元触媒に流入する排気空燃比がリッチに変化しても、三元触媒から酸素が放出されている間は三元触媒を通過した排気の空燃比は理論空燃比近傍に維持される。
【０００８】
ところが、ＮＯX吸蔵還元触媒上流側の排気通路に配置した三元触媒がＯ2ストレージを有すると、機関のリッチスパイク運転時に機関からの排気空燃比がリーンからリッチに変化しても、ＮＯX吸蔵還元触媒に流入する排気は直ちにはリッチ空燃比にならず一時的に理論空燃比近傍に維持されることになる。すなわち、リッチ空燃比の排気中の還元成分等が触媒の酸素貯蔵成分から放出された酸素に酸化され、比較的還元成分等が少ない理論空燃比近傍の排気がＮＯX吸蔵還元触媒に流入する。
【０００９】
一方、排気空燃比がリーン空燃比から理論空燃比近傍の空燃比に変化（低下）するとＮＯX吸蔵還元触媒からはＮＯXが放出されるものの、上述したように流入する排気中には比較的少量の還元成分等しか含まれておらず、放出されたＮＯXの全量を還元するのには不十分である。このため、ＮＯX吸蔵還元触媒から放出され、還元されないままのＮＯXがＮＯX吸蔵還元触媒下流側に流出する場合が生じるのである。
【００１０】
これに対して、特許文献１の装置では逆にＮＯX吸蔵還元触媒の前半部分にＯ2ストレージ機能を付与したり、或いはＮＯX吸蔵還元触媒の上流側に隣接してＯ2ストレージ機能を有する三元触媒を配置することにより、ＮＯX吸蔵還元触媒のＮＯX浄化効率を向上させている。
【００１１】
上記特許文献１によれば、ＮＯX吸蔵還元触媒の上流側にＯ2ストレージ機能を有する三元触媒を配置することにより、流入する排気空燃比がリッチになったときに排気中の還元成分等がセリアから放出された酸素により酸化され、その反応熱により担体に担持されたＮＯX吸蔵還元触媒成分の温度が上昇するため、ＮＯX吸蔵還元触媒からのＮＯXの放出が促進されるとともに触媒活性が向上して放出されたＮＯXの浄化率が向上するためと考えられる。
【００１２】
【特許文献１】特開２０００−１５４７１３号公報
【特許文献２】特許２８８１２６２号公報
【特許文献３】特開平４−６６７１６号公報
【特許文献４】特開２００１−８６３号公報
【発明の開示】
【発明が解決しようとする課題】
【００１３】
上記特許文献１の文献の装置では、ＮＯX吸蔵還元触媒の担体前半部のみに酸素貯蔵成分を担持させることにより触媒の浄化効率を向上させている。
ところが、触媒担体前半部のみに酸素貯蔵成分を担持させると、特許文献１にあるようにリッチ空燃比時の排気中のＨＣ、ＣＯの酸化により触媒の温度が上昇して触媒活性が向上するなどの利点はあるものの、当然ながらリーン空燃比からリッチ空燃比への切換の初期に排気中の還元成分等が酸素貯蔵成分から放出される酸素により酸化されてしまい、ＮＯX吸蔵還元触媒に吸蔵されたＮＯXの還元浄化に使用される還元成分等の量が不十分になる問題は依然として残ってしまう。
【００１４】
一方、上記の問題を避けるために従来のようにＮＯX吸蔵還元触媒担体（前半、後半とも）には酸素貯蔵成分を担持させないようにすることも可能である。しかし、ＮＯX吸蔵還元触媒は理論空燃比近傍の狭い空燃比範囲では排気中のＨＣ、ＣＯ、ＮＯXの３成分を同時に浄化する三元触媒としての機能を有している。このため、機関が理論空燃比近傍で運転されるような場合には、排気の理論空燃比近傍での比較的小さい空燃比変動を打ち消し、ＮＯX吸蔵還元触媒の三元触媒としての機能を有効に使用するために、或る量以上の酸素貯蔵成分をＮＯX吸蔵還元触媒の担体に担持させる必要がある。
【００１５】
すなわち、ＮＯX吸蔵還元触媒担体には酸素貯蔵成分を担持させることはＮＯX浄化の上では問題があるものの、現実には三元触媒とのしての機能を活用するためには酸素貯蔵成分を担持させることが必要とされているのである。
【００１６】
本発明は上記従来技術の問題に鑑み、ＮＯX吸蔵還元触媒が三元触媒として機能するのに十分な量の酸素貯蔵成分をＮＯX吸蔵還元触媒担体に担持させるとともに、酸素貯蔵成分の影響を最小にとどめてＮＯX吸蔵還元触媒のＮＯX浄化率を大幅に向上させることが可能な内燃機関の排気浄化装置を提供することを目的としている。
【課題を解決するための手段】
【００１７】
請求項１に記載の発明によれば、流入する排気の空燃比がリーンのときに排気中のＮＯXを吸着、吸収またはその両方により吸蔵し、流入する排気の空燃比がリッチのときに排気中の還元成分を用いて吸蔵したＮＯXを還元浄化するＮＯX吸蔵還元触媒を排気通路に備えた内燃機関の排気浄化装置であって、前記ＮＯX吸蔵還元触媒の担体は排気流上流側に位置する上流側担体部分と排気流下流側に位置する下流側担体部分とを備え、前記担体は、更に排気の空燃比がリーンのときに排気中の酸素を吸収し、排気の空燃比がリッチのときに吸収した酸素を放出する酸素貯蔵成分を担持すると共に、前記上流側担体部分の前記酸素貯蔵成分担持量を前記下流側担体部分の前記酸素貯蔵成分担持量より小さくした、内燃機関の排気浄化装置が提供される。
【００１８】
すなわち、請求項１の発明ではＮＯX吸蔵還元触媒担体の上流側部分と下流側部分との両方にＮＯX吸蔵還元触媒に加えて酸素貯蔵成分が担持されている。
【００１９】
本発明では、ＮＯX吸蔵還元触媒の上流側担体部分に酸素貯蔵成分が担持されているため、流入する排気の空燃比がリーンからリッチに変化したときに排気中の還元成分等（ＨＣ、ＣＯ、Ｈ2等）が酸素貯蔵成分から放出された酸素により酸化されてしまい、上流側担体部分でＮＯX吸蔵還元触媒の吸蔵したＮＯXが浄化されないまま放出される場合がある。
【００２０】
しかし、上流側担体部分の酸素貯蔵成分担持量は比較的少ない量に設定されているため、上流側担体部分からの酸素放出は短時間で終わり少量の還元成分を酸化（消費）した後は還元成分等の酸化は生じない。このため、上流側担体部分には空燃比切り換え後短時間で十分に還元成分等を含んだリッチ空燃比排気が到達するようになり、放出されたＮＯXの全量が還元浄化され上流側担体部分からの未浄化のＮＯX放出が防止される。
【００２１】
また、通常、排気中のＮＯXの吸蔵はＮＯX吸蔵還元触媒の上流側端部から開始されるため、上流側担体部分に吸蔵されたＮＯX量が増大した状態でも下流側担体部分に吸蔵されたＮＯX量は比較的少なく下流側担体部分のＮＯX吸蔵能力には十分に余裕がある場合が多い。
【００２２】
更に、下流側担体部分の酸素貯蔵成分担持量は比較的大きい量に設定されているため、上流側担体部分の酸素貯蔵成分が吸収した酸素を放出した後でもまだ十分な量の酸素を吸蔵している。
【００２３】
このため、リーンからリッチ空燃比への切り換え初期に上流側担体部分から未浄化のＮＯXが放出されるときも、下流側担体部分の空燃比はあまり低下せず、まだ排気中のＮＯXを吸蔵可能な状態になっている。このため、切換初期に上流側担体部分から放出された未浄化のＮＯXは下流側担体部分に再度吸蔵されＮＯX吸蔵還元触媒下流側には流出しない。
【００２４】
また、上流側担体部分では酸素貯蔵成分の担持量は小さく設定しているものの、下流側担体部分では担持量を大きく設定することができるため、ＮＯX吸蔵還元触媒全体としては十分な量の酸素貯蔵成分を担持させることが可能となる。これにより、理論空燃比近傍での運転の際にもＮＯX吸蔵還元触媒に三元触媒として十分な性能を発揮させることが可能となる。
【００２５】
請求項２に記載の発明によれば、更に、前記上流側側担体部分のＮＯX吸蔵能力を前記下流側担体部分のＮＯX吸蔵能力より大きくした、請求項１に記載の内燃機関の排気浄化装置が提供される。
【００２６】
すなわち、請求項２の発明では上流側担体部分のＮＯX吸蔵能力は比較的大きく設定される。これにより、主としてＮＯX吸蔵還元触媒の酸素貯蔵成分の担持量が少ない上流側担体部分で比較的多量のＮＯXの吸蔵と還元浄化を行う。このため、還元浄化開始初期（リーンからリッチ空燃比への切換初期）の酸素貯蔵成分による還元剤等の消費量が小さい状態で効率的に吸蔵ＮＯXの還元浄化を行うことが可能となる。
【００２７】
請求項３に記載の発明によれば、前記上流側担体部分と下流側担体部分との白金担持量を変えることにより前記上流側担体部分のＮＯX吸蔵能力を下流側担体部分のＮＯX吸蔵能力より大きくした、請求項２に記載の内燃機関の排気浄化装置が提供される。
【００２８】
すなわち、請求項３の発明ではＮＯX吸蔵還元触媒の上流側担体部分と下流側担体部分とのＮＯX吸蔵能力は、それぞれの部分の白金成分担持量を変えることにより調整する。
内燃機関の排気中のＮＯX成分はそのほとんどが一酸化窒素（ＮＯ）であるが、ＮＯX吸蔵還元触媒はこのＮＯを酸化してＮＯ2に転換した状態でなければ窒素酸化物（ＮＯX）を吸蔵することができない。また、白金は酸化雰囲気（リーン空燃比）中では酸化触媒として機能するため、排気中のＮＯをＮＯ2に酸化することができる。
【００２９】
従って、ＮＯX吸蔵還元触媒の上流側担体部分と下流側担体部分とで白金成分の担持量を変え、例えば上流側担体部分での白金担持量を多くすることにより上流側担体部分ではＮＯ2の生成量が多くなり、担体単位体積当たりに多くのＮＯ2が吸蔵されるようになる。すなわち、担体の白金担持量を変化させることによりＮＯX吸蔵能力を調整することができる。
【００３０】
請求項４に記載の発明によれば、前記上流側担体部分と下流側担体部分との担体セル形状とセルサイズとの少なくとも一方を変えることにより、前記上流側担体部分のＮＯX吸蔵能力を下流側担体部分のＮＯX吸蔵能力より大きくした、請求項２に記載の内燃機関の排気浄化装置が提供される。
【００３１】
すなわち、請求項４の発明では上流側担体部分と下流側担体部分のＮＯX吸蔵能力は、担体のセル形状とセル数との少なくとも一方を変えることにより各担体部分のＮＯX吸蔵能力を調整している。
【００３２】
例えば、担体のセル形状（排気流路断面形状）を変えることにより、或いはセルサイズを変えることにより担体単位体積当たりのセル数を変えることができるが、単位体積当たりのセル数（空孔率）を変えることにより、各セル表面のコート厚さが同一であっても担体単位体積当たりの触媒成分担持量（コート材の量）を増減することができる。
【００３３】
従って、例えば下流側担体部分ではセル形状を通常の四角形とし上流側担体部分ではセル形状を六角形などの多角形に変更すること、或いは上流側担体部分では下流側担体部分よりも細径のセルを形成してセル密度を高めること、等により上流側のＮＯX吸蔵還元触媒担持量を増大させてＮＯX吸蔵能力を増大させることが可能である。
【００３４】
なお、この場合も、例えば上流側担体部分の酸素貯蔵成分（例えばセリア）の担持量を下流側担体部分より少なくすることにより上流側担体部分の酸素貯蔵能力を下流側担体部分より小さくすることが可能である。
【発明の効果】
【００３５】
各請求項に記載の発明によれば、ＮＯX吸蔵還元触媒が三元触媒として機能するのに十分な量の酸素貯蔵成分をＮＯX吸蔵還元触媒担体に担持させながらＮＯX浄化に及ぼす酸素貯蔵成分の悪影響を最小にとどめてＮＯX吸蔵還元触媒のＮＯX浄化率を大幅に向上させることが可能となる共通の効果を奏する。
【発明を実施するための最良の形態】
【００３６】
以下、添付図面を用いて本発明の実施形態について説明する。
図１は、本発明を自動車用内燃機関に適用した場合の、実施形態の概略構成を説明する図である。
【００３７】
図１において、１は自動車用内燃機関を示す。本実施形態では、機関１は＃１から＃４の４つの気筒を備えた４気筒ガソリン機関とされ、＃１から＃４気筒には直接気筒内に燃料を噴射する燃料噴射弁１１１から１１４が設けられている。後述するように、本実施形態の内燃機関１は、理論空燃比より高い（リーンな）空燃比で運転可能なリーンバーンエンジンとされている。
【００３８】
また、本実施形態では＃１から＃４の気筒は互いに点火時期が連続しない２つの気筒からなる２つの気筒群にグループ分けされている。（例えば、図１の実施形態では、気筒点火順序は１−３−４−２であり、＃１、＃４の気筒と＃２、＃３の気筒とがそれぞれ気筒群を構成している。）また、各気筒の排気ポートは気筒群毎に排気マニホルドに接続され、気筒群毎の排気通路に接続されている。
【００３９】
図１において、２１ａは＃１、＃４気筒からなる気筒群の排気ポートを個別排気通路２ａに接続する排気マニホルド、２１ｂは＃２、＃４気筒からなる気筒群の排気ポートを個別排気通路２ｂに接続する排気マニホルドである。本実施形態では、個別排気通路２ａ、２ｂ上には、三元触媒からなるスタートキャタリスト（以下「ＳＣ」と呼ぶ）５ａと５ｂがそれぞれ配置されている。また、個別排気通路２ａ、２ｂはＳＣ下流側で共通の排気通路２に合流している。
【００４０】
共通排気通路２上には、後述するＮＯX吸蔵還元触媒７をケーシングに収納したコンバータ７０が配置されている。コンバータ７０の構成については後述する。
【００４１】
図１に２９ａ、２９ｂで示すのは、個別排気通路２ａ、２ｂのＳＣ５ａ、５ｂ上流側に配置された上流側空燃比センサ、３１で示すのは、排気通路２のコンバータ７０下流側に配置された下流側空燃比センサである。空燃比センサ２９ａ、２９ｂ及び３１は、広い空燃比範囲で排気空燃比に対応する電圧信号を出力する、いわゆるリニア空燃比センサとされている。
【００４２】
更に、図１に３０で示すのは機関１の電子制御ユニット（ＥＣＵ）である。ＥＣＵ３０は、本実施形態ではＲＡＭ、ＲＯＭ、ＣＰＵを備えた公知の構成のマイクロコンピュータとされ、機関１の点火時期制御や燃料噴射制御等の基本制御を行なっている。また、本実施形態では、ＥＣＵ３０は上記の基本制御を行う他に、後述するように機関運転状態に応じて筒内噴射弁１１１から１１４の燃料噴射モードを変更し機関の運転空燃比を変更する制御を行なう。
【００４３】
ＥＣＵ３０の入力ポートには、上流側空燃比センサ２９ａ、２９ｂからＳＣ５ａ、５ｂ上流側における排気空燃比を表す信号と、空燃比センサ３１からコンバータ７０下流側における排気空燃比を表す信号が、また、図示しない機関吸気マニホルドに設けられた吸気圧センサ３３から機関の吸気圧力に対応する信号がそれぞれ入力されている他、機関クランク軸（図示せず）近傍に配置された回転数センサ３５から機関回転数に対応する信号が入力されている。
【００４４】
更に、本実施形態では、ＥＣＵ３０の入力ポートには機関１のアクセルペダル（図示せず）近傍に配置したアクセル開度センサ３７から運転者のアクセルペダル踏込み量（アクセル開度）を表す信号が入力されている。また、ＥＣＵ３０の出力ポートは、各気筒への燃料噴射量及び燃料噴射時期を制御するために、図示しない燃料噴射回路を介して各気筒の燃料噴射弁１１１から１１４に接続されている。
【００４５】
次に、本実施形態のコンバータ７０について説明する。
図２は、本実施形態のコンバータ７０の構成を示す断面図である。コンバータ７０は、ケーシング７０ａ内にＮＯX吸蔵還元触媒７を収納した形式とされている。
【００４６】
本実施形態のＮＯX吸蔵還元触媒７は、例えばハニカム状に形成したコージェライト等の担体を用いて、この担体表面にアルミナのコーティングを形成し、アルミナ層上に、例えばカリウムＫ、ナトリウムＮa 、リチウムＬi 、セシウムＣs のようなアルカリ金属、バリウムＢa 、カルシウムＣa のようなアルカリ土類、ランタンＬa 、セリウムＣｅ、イットリウムＹのような希土類から選ばれた少なくとも一つの成分と、白金Ｐｔのような貴金属とを担持させたものである。ＮＯX吸蔵還元触媒は流入する排気ガスの空燃比がリーンのときに、排気中のＮＯX（ＮＯ2、ＮＯ）を硝酸イオンＮＯ3-の形で吸収し、流入排気ガス中の酸素濃度が低下すると吸収したＮＯXを放出するＮＯXの吸放出作用を行う。
【００４７】
例えば、機関１がリーン空燃比で運転されＮＯX吸蔵還元触媒７に流入する排気がリーン空燃比である場合には、排気中のＮＯX（ＮＯ）は例えば白金Ｐｔ上で酸化されてＮＯ2になり、更に酸化されて硝酸イオンを生成する。この硝酸イオンは、例えば吸収剤としてＢａＯが使用されている場合には吸収剤中に吸収されて酸化バリウムＢａＯと結合しながら硝酸イオンＮＯ3-の形で吸収剤内に拡散する。このため、リーン雰囲気下では排気中のＮＯXがＮＯX吸収剤内に硝酸塩の形で吸蔵されるようになる。
【００４８】
また、流入排気中の酸素濃度が大幅に低下すると（すなわち、排気の空燃比が理論空燃比またはリッチ空燃比になると）、白金Ｐｔ上での硝酸イオンの生成量が減少するため、反応が逆方向に進むようになり、吸収剤内の硝酸イオンＮＯ3-はＮＯ2の形で吸収剤から放出されるようになる。この場合、排気中にＣＯやＨＣ、Ｈ2等の還元剤として機能する成分が存在すると白金Ｐｔ上でこれらの成分によりＮＯ2が還元される。
【００４９】
また、本実施形態では、担体上には、担体のアルミナ層に前述のＮＯX吸蔵還元触媒成分に加えて、酸素貯蔵成分としてセリウムＣｅ等の金属成分を担持させ、酸素貯蔵機能（Ｏ2ストレージ機能）を持たせている。
アルミナ層上に担持されたセリウムは、触媒に流入する排気の空燃比が理論空燃比より高いときに（排気空燃比がリーンのときに）排気中の酸素と結合してセリア（酸化セリウムIV：ＣｅＯ2）を形成し酸素を貯蔵する。また、流入する排気の空燃比が理論空燃比以下のときに（排気空燃比がリッチのときに）は、セリアは酸素を放出して酸化セリウムIII（Ｃｅ2Ｏ3）になるため酸素が放出される。
【００５０】
すなわち、酸素貯蔵成分は、流入する排気空燃比がリーンのときに排気中の酸素を吸収し、流入する排気空燃比がリッチになると排気中に酸素を放出するＯ2ストレージ作用を行なう。
【００５１】
このため、例えば排気空燃比がリーンからリッチに変化した場合には、酸素貯蔵成分から酸素が放出されるため、触媒に流入する排気空燃比がリッチ空燃比に変化した後も、酸素が放出されている間は触媒内はリッチ空燃比にならず、理論空燃比近傍の雰囲気に維持される。
【００５２】
また、逆に排気空燃比がリッチからリーンに変化した場合も、酸素貯蔵成分が排気中の酸素を吸収するため、触媒に流入する排気の空燃比がリーンに変化した後も酸素貯蔵成分が飽和量まで酸素を吸収するまでの間は触媒内の雰囲気は理論空燃比近傍に維持されるようになる。
【００５３】
本実施形態では、機関１のリーン空燃比運転中にＮＯX吸蔵還元触媒７に吸収されたＮＯX量が増大すると、短時間機関空燃比をリーン空燃比からリッチ空燃比に切り換えるリッチスパイク運転を行い、ＮＯX吸蔵還元触媒からのＮＯXの放出と還元浄化を行なうようにしている。
【００５４】
ところが、ＮＯX吸蔵還元触媒とともに酸素貯蔵成分が担持されていると上記Ｏ2ストレージ作用のためリッチスパイク時に排気空燃比がリーン空燃比からリッチ空燃比に切り換えられた場合でも、ＮＯX吸蔵還元触媒に流入する排気中のＣＯ、Ｈ2等の還元成分は酸素貯蔵成分から放出される酸素のために酸化されてしまい、リッチスパイク初期にはＮＯX吸蔵還元触媒内は理論空燃比近傍の空燃比に維持されるようになる。
【００５５】
一方、ＮＯX吸蔵還元触媒からは空燃比の低下に伴ってＮＯXが放出されるが、上述したように流入する排気中の還元成分等は酸素貯蔵成分から放出された酸素によって酸化されてしまうため、触媒内では放出されたＮＯXを還元浄化するのに必要な還元成分が不足する。このため、従来ＮＯX吸蔵還元触媒に酸素貯蔵成分を担持させた場合には、リッチスパイク初期にＮＯX吸蔵還元触媒から放出されたＮＯXが還元成分の不足のために還元されず未浄化のまま触媒下流側に放出される問題が生じていた。
【００５６】
これを防止するためには、ＮＯX吸蔵還元触媒及びその上流側には酸素貯蔵成分を配置せずリッチスパイク初期に酸素の放出が一切生じないようにすれば良いのであるが、ＮＯX吸蔵還元触媒の三元触媒としての性能を向上させるためには、酸素貯蔵成分を担持させることが必要となる。
【００５７】
例えば、白金Ｐｔは理論空燃比を中心とした狭い空燃比領域では排気中のＨＣ、ＣＯ、ＮＯXの３成分を同時に浄化する三元触媒性能を備えている。
また、本実施形態の機関１のようにリーン空燃比からリッチ空燃比まで広い空燃比範囲で運転される機関では、理論空燃比で運転される機会も多い。このため、本実施形態では理論空燃比時にＮＯX吸蔵還元触媒７の三元触媒としての性能を最大限に利用する必要がある。
【００５８】
前述したように、ＮＯX吸蔵還元触媒が同時にＨＣ、ＣＯ、ＮＯXの三成分を浄化するためには、排気空燃比が理論空燃比を中心とした狭い領域にある必要がある。このため、機関の理論空燃比での運転中に空燃比が多少変動した場合でもＮＯX吸蔵還元触媒７雰囲気を理論空燃比近傍近傍に維持して三元性能を発揮させるためには酸素貯蔵成分によるＯ2ストレージ効果が必要となるのである。
【００５９】
このため、従来ＮＯX吸蔵還元触媒の三元性能を有効に活用するために、ある程度の量の酸素貯蔵成分をＮＯX吸蔵還元触媒成分とともに担体に担持させることが行われていたが、前述のように、この酸素貯蔵成分のためにリッチスパイク操作初期の未浄化のＮＯX成分放出などが生じ、全体としてＮＯX浄化率を向上させることができない問題があった。
【００６０】
これに対して、本実施形態では触媒担体の上流側部分（前半部）７ａと下流側部分（後半部）７ｂとに分け、各担体部分のＯ2ストレージ能力とＮＯX吸蔵能力を変えることにより、上記問題を解決している。
すなわち、本実施形態では上流側部分７ａと下流側部分７ｂとのＯ2ストレージ能力とＮＯX吸蔵能力が以下の関係になるように設定している。
【００６１】
（１）上流側部分７ａのＯ2ストレージ能力は下流側部分７ｂより小さい。
（２）上流側部分７ａのＮＯX吸蔵能力は下流側部分７ｂより大きい。
以下、それぞれの効果について説明する。
【００６２】
（１）上流側部分７ａのＯ2ストレージ能力（ＯＳＣ）を下流側部分７ｂより小さくしたことによる効果。
【００６３】
上流側部分７ａでの酸素貯蔵能力を下流側部分７ｂより小さくすることにより得られる効果は以下の通りである。
【００６４】
すなわち、ＮＯX吸蔵還元触媒が排気中のＮＯXを吸蔵する際にはまず上流側部分から吸蔵量が増大して行く。このため、上流側部分でのＮＯX吸蔵量がある値に到達してリッチスパイクが実行された場合でも下流側部分のＮＯX吸蔵量は比較的少なく、まだ十分にＮＯXを吸蔵できる状態にあるのが通常である。
【００６５】
この状態でリッチスパイクが行われると、前述したように酸素貯蔵能力（ＯＳＣ）のためにリッチスパイク初期には排気中の還元成分が消費され、触媒の上流側部分で放出されたＮＯXが浄化されないまま下流側部分に流入するようになる。
【００６６】
ところが、下流側部分では比較的ＯＳＣが大きく比較的多量の酸素が放出されるため空燃比はあまり低下しない。また、上述したように下流側部分では上流側部分に較べてＮＯXの吸蔵量も少ないため、まだ十分にＮＯXを吸蔵できる状態にある。
従って、上流側部分から流出した未浄化のＮＯXは下流側部分のＮＯX吸蔵還元触媒に吸蔵されるようになり、触媒下流側に流出することが防止される。
【００６７】
一方、上流側部分ではＯＳＣは小さいため、酸素の放出による排気中の還元剤成分の消費も短時間で終わり、その後は十分な量の還元剤成分がＮＯX吸蔵還元触媒内に供給されるようになる。これにより、ＮＯX吸蔵還元触媒の上流側部分から順次ＮＯXの放出と還元浄化とが行われる。
【００６８】
すなわち、本実施形態では、ａ）ＮＯX吸蔵還元触媒の下流側部分のＯＳＣを大きくしたことにより、リッチスパイク初期にＮＯX吸蔵還元触媒上流側部分から放出される未浄化ＮＯXを下流側部分で再吸蔵し、下流側に流出することを防止するとともに、ｂ）ＮＯX吸蔵還元触媒の上流側部分のＯＳＣを小さくしたことにより、リッチスパイク初期の酸素の放出量を低減し、上流側部分からの未浄化ＮＯXの放出量を少なくし、さらに排気中の還元成分のうちＮＯXの浄化に使われず無駄に消費されるものの量を低減して効率的なＮＯX浄化を行うことが可能となっている。
【００６９】
なお、リッチスパイク時に上流側部分に吸蔵されたＮＯXの全量が還元浄化されると、排気中のＣＯ等の還元成分やＨＣは上流側部分を通過して下流側部分に流入するようになる。従来、このような未浄化のＨＣ、ＣＯ等が触媒下流側に流出することを防止するため、リッチスパイクはＮＯX吸蔵還元触媒に吸蔵されたＮＯXの全量が還元される前に、すなわちＮＯX吸蔵量が完全にゼロになる前に終了する必要があった。
【００７０】
これに対して、本実施形態では下流側部分のＯＳＣが大きく設定されているためＮＯX吸蔵還元触媒の上流側部分から下流側部分にＨＣ、ＣＯを多く含んだ排気が流入した場合でも下流側部分から放出される酸素によりこれらを浄化することができ、ＮＯX吸蔵還元触媒から未浄化のＨＣ、ＣＯが流出することがない。このため、本実施形態では、未浄化のＨＣ、ＣＯ等の流出を生じることなく上流側部分のＮＯX吸蔵量が完全にゼロになるまでリッチスパイクを行うことができ、ＮＯXを効率的に浄化することが可能となる。
【００７１】
また、本実施形態では上流側部分でのＯＳＣは従来より小さいものの、下流側部分ではＯＳＣを従来より大きくすることが可能である。このため、ＮＯX吸蔵還元触媒全体としてのＯＳＣは、ＮＯXの浄化率を低下させることなく従来と同等或いはそれ以上に設定することができ、ＮＯX吸蔵還元触媒の理論空燃比近傍での三元触媒性能を有効に利用することが可能となっている。
【００７２】
（２）上流側部分７ａのＮＯX吸蔵能力を下流側部分７ｂより大きくしたことによる効果。
【００７３】
上記のように、上流側部分７ａのＯ2ストレージ能力を下流側部分７ｂより小さくしたことに加えて、更に上流側部分７ａのＮＯX吸蔵能力を下流側部分７ｂより大きくしたことにより、本実施形態では次の効果を得ている。
【００７４】
すなわち、前述したように本実施形態のＮＯX吸蔵還元触媒では、上流側部分のＯＳＣが小さく設定されているため、リッチスパイク初期に無駄に消費される排気中の還元成分の量が比較的少なくなっている。また、上流側部分では未浄化のＨＣ、ＣＯ成分を触媒外部に排出することなく吸蔵したＮＯXを完全に浄化することが可能である。従って、上流側部分では通常より遙かに効率的に吸蔵ＮＯXの還元浄化を行うことができる。
【００７５】
このため、上流側部分のＮＯX吸蔵能力（担体単位体積当たりに吸蔵可能なＮＯX量）を下流側より大きく設定することにより、排気中のＮＯXを主として効率的なＮＯXの浄化を行うことができる上流側部分で浄化することが可能となり、全体としてのＮＯX浄化率を従来より大幅に向上することが可能となる。
【００７６】
図３は、（Ａ）触媒担体全体にわたってＯＳＣとＮＯX吸蔵能力の一様な分布を有する従来のＮＯX吸蔵還元触媒と、（Ｂ）担体上流側部分のＯＳＣを下流側部分より小さく設定した場合（上記（１）の場合）及び、（Ｃ）更にこれに加えて担体上流側部分のＮＯX吸蔵能力を下流側部分より大きく設定した場合（上記（２）の場合）のＮＯX浄化率（触媒出口排気中のＮＯX量／触媒流入排気中のＮＯX量）の変化を示す図である。
【００７７】
図３において縦軸はＮＯX吸蔵還元触媒のＮＯX吸蔵量が一定値（８００ｍｇ）に到達する毎にリッチスパイクを実行した場合の全体としてのＮＯX浄化率を、それぞれ示している。
【００７８】
図３に示すように、従来の均一なＯＳＣとＮＯX吸蔵能力とを有するＮＯX吸蔵還元触媒（Ａ）では、全体的にＮＯX浄化率が比較的低くなっているのに対して、担体上流側部分のＯＳＣを小さく設定した場合（Ｂ）では、全体的にＮＯX浄化率が向上している。また、これに加えて上流側部分のＮＯX吸蔵能力を大きく設定した場合（Ｃ）では大幅にＮＯX浄化率が向上しているのが判る。
【００７９】
更に、図４は実際の使用条件でのＮＯX吸蔵還元触媒出口排気中のＮＯX濃度の変化を示している。図４において、横軸は時間、縦軸はＮＯX吸蔵還元触媒出口ＮＯX濃度を、それぞれ示している。また、横軸にＲＳで示すのはリッチスパイク操作を実行したタイミングである（図４の例では６０秒毎に１秒のリッチスパイクを繰り返している）。
【００８０】
図４に破線Ａで示すのは従来の均一なＯＳＣとＮＯX吸蔵能力とを有するＮＯX吸蔵還元触媒を、実線Ｃで示すのは、担体上流側部分のＯＳＣを下流側部分より小さく、かつＮＯX吸蔵能力を下流側部分より大きく設定した場合（図３のＣの場合）のＮＯX吸蔵還元触媒を、それぞれ示している。
【００８１】
従来のＮＯX吸蔵還元触媒（破線Ａ）では、リッチスパイクが実行されるとＯＳＣの影響のためリッチスパイク初期に比較的多量の未浄化ＮＯXの放出（図４にａ１で示す）が生じる。また、リッチスパイクが終了後ＮＯXの吸蔵が開始されると出口ＮＯX濃度は低下するものの、リッチスパイク終了時にも完全に吸蔵ＮＯX量がゼロになっていないため、出口ＮＯX濃度は比較的短時間で上昇し、次回のリッチスパイク開始直前には比較的高い値（図４、ａ２）になってしまう。
【００８２】
これに対して、本実施形態（実線Ｃ）では、担体上流側部分のＯＳＣを小さく設定したことによりリッチスパイク初期の未浄化のＮＯX放出量が少なくなり、更に下流側部分のＯＳＣを大きく設定しているため、上流側部分から放出された未浄化ＮＯXが再度下流側部分に吸蔵され外部に流出しない。このため、リッチスパイク開始時の未浄化ＮＯX放出は極めて少なくなる（図４、ｃ１）。
【００８３】
また、本実施形態では、上流側部分のＯＳＣを小さく設定したためリッチスパイク期間が同じでも排気中の還元成分等が有効に使用でき、リッチスパイク後のＮＯX吸蔵還元触媒のＮＯX吸蔵量を従来より小さくでき、更に上流側部分のＮＯX吸蔵能力を大きく設定したことにより主に上流側部分を使用した効率的なＮＯX浄化が行われる。このため、リッチスパイク後の出口ＮＯX濃度の上昇幅も小さく次回のリッチスパイク開始直前のＮＯX濃度も極めて小さい値になる（図４、ｃ２）。
【００８４】
なお、ＯＳＣ（酸素貯蔵能力）は担体の酸素貯蔵成分（例えばセリアなど）担持量を変化させることにより容易に調整可能である。このため、例えばセリアの担持量を担体上流側部分で少なく、下流側部分で多くすることなどにより容易に上流側部分のＯＳＣを下流側部分より小さくすることが可能である。また、本実施形態では上流側部分と下流側部分のセリアの担持量合計は、ＮＯX吸蔵還元触媒７を理論空燃比近傍で三元触媒として機能させるのに十分な量に設定してある。
【００８５】
また、担体上流側部分でＮＯX吸蔵能力を増大させる手段としては、例えば白金の担持量を増大させることによっても良いし、或いは、可能であるなら上流側部分と下流側部分とでセルの形状またはセル数を変えることにより上流側部分と下流側部分とでのセル密度を変更する事によっても良い。
【００８６】
前述したように、ＮＯX吸蔵還元触媒はＮＯ2としてのみＮＯXを吸蔵可能である。ところが、排気ガス中のＮＯXのほとんどはＮＯであるため、排気中のＮＯ2濃度はＮＯX吸蔵還元触媒に吸蔵されるＮＯX量に直接的に影響する。ＮＯX吸蔵還元触媒では、白金成分によりＮＯを酸化することによりＮＯXを吸蔵可能な状態にしているため、上流側部分で白金の担持量を増大することにより上流側部分でより多くのＮＯをＮＯ2に転換することにより、上流側部分では多くのＮＯXをＮＯX吸蔵還元触媒に吸蔵させることができる。すなわち、上流側部分における白金成分の担持量を増大させることにより上流側部分のＮＯX吸蔵能力を増大することが可能である。
【００８７】
また、ＮＯX吸蔵能力は上記のように白金の担持量のみを変化させるのではなく、担体単位体積当たりのセル数（セル密度）を変化させる事によっても変化する。すなわち、セル密度が高ければウォッシュコートの厚さが同一であっても単位体積中のコート材の量（ＮＯX吸蔵還元触媒担持量）が大きくなるため、ＮＯX吸蔵能力は大きくなる。
【００８８】
セル密度を増大する方法としては、個々のセルサイズを小さくしてセル数を増大させることが一般的であるが、例えばセル形状を４角形断面から六角形断面に変更しコート材一定量当たりの有効面積を増大させることでも可能である。
【００８９】
なお、上述の実施形態では図２に示すように一つの触媒担体を前半部分と後半部分との２つの区画に分けて、それぞれのＯＳＣとＮＯX吸蔵能力を変化させているが、本発明はこの実施形態に制限されるわけではなく、例えば触媒担体を３つ以上の区画に分けてＯＳＣとＮＯX吸蔵能力とが担体上流側から下流側に向けて区画毎に変化させる場合、或いは担体の上流側端部から下流側端部に向けて連続的にＯＳＣとＮＯX吸蔵能力を変化させる場合にも適用可能である。
【００９０】
更に、図２の例では担体は一体に形成されているが、例えば図５に示すように上流側部分７ａと下流側部分７ｂとを別体に形成し、同一のコンバータケーシングに収納するようにしても良く、また、図６のように上流側部分と下流側部分とを別のケーシングに収納して配置するようにしても良い。
【００９１】
特に、担体のセル形状やセルサイズを変化させることによりＮＯX吸蔵能力を変化させる場合には、特に図５、図６のように担体の上流側部分と下流側部分とを別体に形成することが好ましい。
【図面の簡単な説明】
【００９２】
【図１】本発明を自動車用内燃機関に適用した実施形態の概略構成を示す図である。
【図２】図１のコンバータの構成の一例を説明する図である。
【図３】本実施形態のＮＯX吸蔵還元触媒のＮＯX浄化率を説明する図である。
【図４】本実施形態のＮＯX吸蔵還元触媒出口排気におけるＮＯX濃度の時間変化を説明する図である。
【図５】コンバータの構成の図１とは別の例を示す図である。
【図６】コンバータの構成の図１、図５とは別の例を示す図である。
【符号の説明】
【００９３】
１…機関本体
２…排気通路
７…ＮＯX吸蔵還元触媒
９…三元触媒
３０…ＥＣＵ（電子制御ユニット）
７０…コンバータ
【図１】
2005120909.tif 000003
【図２】
2005120909.tif 000004
【図３】
2005120909.tif 000005
【図４】
2005120909.tif 000006
【図５】
2005120909.tif 000007
【図６】
2005120909.tif 000008